(57)【特許請求の範囲】
【請求項１】
水平面上に安定据置き可能な接地底部を有する接地足板であって、それは、折畳み機構を有するメモ台を一体化したものとするか、または、折畳み機構を有するメモ台を該接地足板とは別体のものとし、同メモ台接合壁に設けた脱着機構を介し、該接地足板に着脱自在に組合せ可能としたものかの何れか一方としてなるものとし、その左右少なくとも何れか一方側部に、左右方向に向く水平軸心をもつ立上げ角度調節機構を介し、各立上げ腕の基端を略水平姿勢から、前後方向無段階または段階的に立上げ姿勢とし、且つ所望角度姿勢に仮固定可能とするよう回動自在に連結すると共に、各立上げ腕の先端がわから中途適所に掛けて、縦・横向きの少なくとも何れか一方とした１台または複数台の載置対象携帯情報端末の背面を安定支持可能であって、略水平から略垂直までの何れかの角度姿勢とした場合に該接地足板直上に全体の重心を配置可能な形状、寸法とした端末用見台板を支持するよう一体化し、該端末用見台板を略水平姿勢とした場合に、該接地足板上と該端末用見台板下との間に、載置対象携帯情報端末の厚み寸法を超える高さの保護空間を確保してなるものとしたことを特徴とする携帯情報端末用スタンド装置。
【請求項２】
水平面上に安定据置き可能な接地底部を有する接地足板であって、それは、折畳み機構を有するメモ台を一体化したものとするか、または、折畳み機構を有するメモ台を該接地足板とは別体のものとし、同メモ台接合壁に設けた脱着機構を介し、該接地足板に着脱自在に組合せ可能としたものかの何れか一方としてなるものとし、その左右何れか一方側部に、左右方向に向く水平軸心をもつ立上げ角度調節機構を介し、立上げ腕の基端を略水平姿勢から、前後方向無段階または段階的に立上げ姿勢とし、且つ所望角度姿勢に仮固定可能とするよう回動自在に連結すると共に、立上げ腕の先端がわから中途適所に掛けて、縦・横向きの少なくとも何れか一方とした１台または複数台の載置対象携帯情報端末の背面を安定支持可能であって、略水平から略垂直までの何れかの角度姿勢とした場合に該接地足板直上に全体の重心を配置可能な形状、寸法とした端末用見台板を片持ち支持するよう一体化し、該端末用見台板を略水平姿勢とした場合に、該接地足板上と該端末用見台板下との間に、載置対象携帯情報端末の厚み寸法を超える高さの保護空間を確保してなるものとしたことを特徴とする携帯情報端末用スタンド装置。
【請求項３】
端末用見台板が、載置対象となる携帯情報端末の外周縁に接して支持可能な寸法・形状とし、同端末用見台板表・裏面壁の少なくとも何れか一方の任意箇所に、装着する接合壁に脱着機構を設け、同端末用見台板に対し、着脱自在に外装可能とした１個または複数個の掛止ブロックを組合せてなる、請求項１または２何れか一記載の携帯情報端末用スタンド装置。
【請求項４】
メモ台脱着機構が、接地足板の全部または一部を磁性素材製とし、メモ台接合壁に適宜設けた永久磁石とからなるもの、および、掛止ブロック脱着機構が、端末用見台板の全部または一部を磁性素材製とし、掛止ブロック接合壁に適宜設けた永久磁石とからなるものの少なくとも何れか一方としてなる請求項３記載の携帯情報端末用スタンド装置。
【請求項５】
メモ台脱着機構が、接地足板の接地底部および上壁の少なくとも何れか一方の、一部または全部に雄雌何れか一方の面ファスナーを設け、メモ台接合壁に雄雌何れか他方の面ファスナーを設けたもの、および、掛止ブロック脱着機構が、端末用見台板の表面壁または裏面壁の少なくとも何れか一方の、一部または全部に雄雌何れか一方の面ファスナーを設け、掛止ブロック接合壁に雄雌何れか他方の面ファスナーを設けたものの少なくとも何れか一方としてなる請求項３記載の携帯情報端末用スタンド装置。
【請求項６】
端末用見台板が、その表・裏面壁の少なくとも何れか一方の任意範囲に、携帯情報端末の滑り止め用となる軟質摩擦膜部を被着一体化してなる、請求項１ないし５何れか一記載の携帯情報端末用スタンド装置。
【請求項７】
立上げ腕が、その基端と端末用見台板対応箇所との間に、左右方向に向く水平軸心をもつ間接傾度調節機構を設けてなる、請求項１ないし６何れか一記載の携帯情報端末用スタンド装置。
【請求項８】
接地足板の左右少なくとも何れか一方端寄りの適所に、１個または複数個のケーブル用ホルダーを一体化してなる、請求項１ないし７何れか一記載の携帯情報端末用スタンド装置。                                                                                                                  
【発明の詳細な説明】
【技術分野】
【０００１】
この発明は、携帯情報端末類の支持、保護、収納、保管および充電などを可能とするスタンド装置に関連するものであり、特に、タブレット型端末や携帯電話などの外、携帯型デジタル音楽プレイヤー、家電製品用のリモコンなど巾広い小物類をも支持・整頓可能としたスタンド装置を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                                
【背景技術】
【０００２】
（着目点）
近年、移動体用の高速通信システムの開発や、それを利用したインターネットへの接続技術、液晶画面の高画質化およびタッチパネル化、更には利用者自らオペレーティングシステムにプログラムを自由に追加、削除可能とした、所謂スマートフォンの普及など、携帯型情報端末の高性能化、多機能化と、その周辺技術の目覚ましい発展により、屋内外を問わず、あらゆる場面で携帯情報端末の利用が増えてきて、プログラムに対する入力操作の複雑化や、インターネット閲覧、地上デジタル放送の視聴、ゲームなど様々なアプリケーションソフトウェアへの長時間に及ぶ入力操作など、スマートフォンやタブレット型端末などを片手で保持しながら観賞したり、操作したりすることが増え、腕の疲れを訴える利用者が増えている外、充電中や、枕元に置いて目覚まし時計とし利用する際に、平置き状態の画面が見づらかったり、置き忘れてしまったり、不安定な場所に置いて落下、破損させてしまうなど、携帯型であるが故の欠点も多かった。
【０００３】
（従来の技術）
こうした状況を反映し、その打開策となるような提案もこれまでに散見されない訳ではない。
例えば、下記の特許文献１（１）ないし１（３）に提案されているものに代表されるように、携帯情報端末を一定傾斜角度に保持可能とし、ハンズフリー通話機能の利用性を高めた卓上置き台や、携帯情報端末を傾斜姿勢に装着して充電中における電極の接触性能を高めた置き台、携帯情報端末を縦置き傾斜姿勢と横置き傾斜姿勢とに変換可能とした置き台などの外、同特許文献１（４）および１（５）に見られるような、台座やベース部との間に、水平軸回動機構や自在軸継ぎ手機構などを介在し、支持角度を調節可能とした携帯情報端末搭載部分を有するスタンド装置や充電器などが散見される。
【０００４】
しかし、前者特許文献１（１）ないし１（３）に示されているような携帯情報端末を一定の傾斜角度に保持可能とした置き台や充電器類などは、角度調節機構を持たないことから、構造を簡素化できて部品点数を削減し、軽量化および低廉化できるという利点を有するものの、支持姿勢が固定されてしまうから、利用者が自由に角度調節できず、低い家具上や高い棚上、枕元など、見る角度姿勢が変化しまうとディスプレイが見辛くなって不便を感じてしまうという課題があり、また、後者特許文献１（４）および１（５）に代表する角度調節機構を有する携帯情報端末用のスタンドや充電器類などでは、利用者が利用場面に応じて画面を見易い角度や入力操作し易い角度など、様々な姿勢に自由に調節して支持できるという利便性は付与されたものの、今度は、携帯情報端末のディスプレイ部分や入力部など主要部を含む全体が常時露出状態になってしまうことから、埃の付着や、周辺物の不用意な転倒・落下などを受けて、破損してしまう虞があるという欠点を残すものとなってしまっていた。                                                                          
【特許文献１】（１）特開平１１−３０８３１３号公報    （２）特開２００６−２１１８４４号公報    （３）特２００６−２６２３２６号公報    （４）特開２０１０−４５０８号公報    （５）特開２０１１−２３４５１４号公報
【発明の概要】
【発明が解決しようとする課題】
【０００５】
（問題意識）
上述したとおり、従前までに提案のある傾斜角度固定型の携帯情報端末用スタンドや充電器などは、利用者の好みに応じた支持角度の調節ができず、一方、角度可変型の携帯情報端末用スタンドや充電器などは、携帯情報端末の使用・不使用とか、充電中などに拘わらず、常時載置台上に露出させたまま載置しなければならず、埃が付き易い上、他物の衝突や落下などから保護できないという欠点を有し、さらに、近年では、その用途に応じて複数台の携帯情報端末を同時に利用する利用者も増加してきており、こうした複数台利用者は、複数の様々な形状、異なる支持高さのスタンドや充電器類を隣接配置させるという状況を招き、こうした端末機器の密集によって各ディスプレイの視認性やタッチパネルやボタン類の操作性が悪化し、煩雑なものとなって隣接するスタンドを誤って転倒させてしまったり、誤操作してしまったりする虞がある外、エアコンや照明機器、テレビなどの各種リモコン類なども、その周辺に整理しようとすると、より雑然となって整理できなくなってしまうという弊害を招く虞があった。
【０００６】
（発明の目的）
そこで、この発明は、利用中の携帯情報端末を、利用者の好む角度姿勢に自由に保持することができ、使用していないときには、折り畳んで携帯情報端末を保護、収納することを可能とする上、多様な形状・寸法の携帯情報端末類およびリモコン類なども自在に載置・利用することができる新たな電子機器端末類用載置台の技術開発はできないものかとの判断から、逸速くその開発、研究に着手し、長期に渡る試行錯誤と幾多の試作、実験とを繰り返してきた結果、今回、遂に新規な構造の携帯情報端末用スタンド装置を実現化することに成功したものであり、以下では、図面に示すこの発明を代表する実施例と共に、その構成を詳述することとする。                                                                                            
【課題を解決するための手段】
【０００７】
（発明の構成）
図面に示すこの発明を代表する実施例からも明確に理解されるように、この発明の携帯情報端末用スタンド装置は、基本的に次のような構成から成り立っている。
即ち、水平面上に安定据置き可能な接地底部を有する接地足板であって、それは、折畳み機構を有するメモ台を一体化したものとするか、または、折畳み機構を有するメモ台を該接地足板とは別体のものとし、同メモ台接合壁に設けた脱着機構を介し、該接地足板に着脱自在に組合せ可能としたものかの何れか一方としてなるものとし、その左右少なくとも何れか一方側部に、左右方向に向く水平軸心をもつ立上げ角度調節機構を介し、各立上げ腕の基端を略水平姿勢から、前後方向無段階または段階的に立上げ姿勢とし、且つ所望角度姿勢に仮固定可能とするよう回動自在に連結すると共に、各立上げ腕の先端がわから中途適所に掛けて、縦・横向きの少なくとも何れか一方とした１台または複数台の載置対象携帯情報端末の背面を安定支持可能であって、略水平から略垂直までの何れかの角度姿勢とした場合に該接地足板直上に全体の重心を配置可能な形状、寸法とした端末用見台板を支持するよう一体化し、該端末用見台板を略水平姿勢とした場合に、該接地足板上と該端末用見台板下との間に、載置対象携帯情報端末の厚み寸法を超える高さの保護空間を確保してなるものとした構成を要旨とする携帯情報端末用スタンド装置である。                          
【０００８】
この基本的な構成からなる携帯情報端末用スタンド装置は、その表現を変えて示すならば、水平面上に安定据置き可能な接地底部を有する接地足板であって、それは、折畳み機構を有するメモ台を一体化したものとするか、または、折畳み機構を有するメモ台を該接地足板とは別体のものとし、同メモ台接合壁に設けた脱着機構を介し、該接地足板に着脱自在に組合せ可能としたものかの何れか一方としてなるものとし、その左右何れか一方側部に、左右方向に向く水平軸心をもつ立上げ角度調節機構を介し、立上げ腕の基端を略水平姿勢から、前後方向無段階または段階的に立上げ姿勢とし、且つ所望角度姿勢に仮固定可能とするよう回動自在に連結すると共に、立上げ腕の先端がわから中途適所に掛けて、縦・横向きの少なくとも何れか一方とした１台または複数台の載置対象携帯情報端末の背面を安定支持可能であって、略水平から略垂直までの何れかの角度姿勢とした場合に該接地足板直上に全体の重心を配置可能な形状、寸法とした端末用見台板を片持ち支持するよう一体化し、該端末用見台板を略水平姿勢とした場合に、該接地足板上と該端末用見台板下との間に、載置対象携帯情報端末の厚み寸法を超える高さの保護空間を確保してなるものとした構成からなる携帯情報端末用スタンド装置となる。
【発明の効果】
【０００９】
以上のとおり、この発明の携帯情報端末用スタンド装置によれば、従前までのものとは違い、上記したとおりの固有の特徴ある構成から、通常であれば、片手で保持しながら操作しなければならない携帯情報端末や携帯型デジタル音楽プレイヤーなどを搭載支持させて、その支持角度を利用者の好む角度姿勢に自由に調節することができるから、長時間利用した場合にも腕が疲れることがなく、タッチパネルやボタンスイッチなどの操作も容易且つ確実に行うことができる上、家電用リモコンなどに留まらず、書類や手帳、書籍なども見開き状態に搭載可能であり、しかも卓上や枕元など場所を選ばず、巾広い場所で携帯情報端末、携帯型デジタル音楽プレイヤーおよびリモコンなどを整理、保管することができ、更には充電ケーブルなども支障なく取り回し可能なものとしたから、充電台として効率的に利用することができ、また、立上げ角度調節機構を折り畳んだ状態では、接地足板上と端末用見台板下との間に保護空間を確保し、該保護空間に携帯情報端末やその他の物品類を収納し、塵埃の付着や、他物の落下、干渉などの外力から確実に保護可能なものとすることができるという秀でた特徴が得られるものである。
【００１０】
加えて、立上げ腕および立上げ角度調節機構を接地足板の左右何れか一方側部に設けたものは、左右に設けたものに比較して部品点数を大幅削減し、軽量化できる上、利用者が右利きの場合には、接地足板の左側部に、また、利用者が左利きの場合には、接地足板の右側部に、該立上げ腕および立上げ角度調節機構を設けたものとすることにより、搭載した携帯情報端末の操作性を一段と高めることができめ外、それらとは反対に、利用者が右利きの場合には、接地足板の右側部に、利用者が左利きの場合には、接地足板の左側部に、該立上げ腕および立上げ角度調節機構を設けたものとすることにより、利き手で立上げ角度調節機構の角度調節操作を容易に行えるようにしたものとすることができるという利点を有している。
【００１１】
そして、接地足板に折畳み機構を有するメモ台を一体化したものは、折畳み機構を展開させてメモ台の面積を大幅に拡大して利用することができるから、端末用見台板にペンなどを干渉することなく、快適に筆記することが可能となり、不要な時には、折畳み機構を境に折り畳み、小型化して収納することができるという効果を発揮し、また、端末用見台板表・裏面壁の少なくとも何れか一方の任意箇所に、脱着機構を介して掛止ブロックを組合せてなるものは、端末用見台板に搭載した携帯情報端末の周縁適所を１個または複数個の掛止ブロックによって一層力強く保持可能なものとなるから、搭載中の携帯情報端末のズレ動きや、落下を一段と確実に防ぐことができ、使用者にとって極めて好都合のものとなる。
【００１２】
また、メモ台脱着機構に永久磁石を利用するようにしたものは、磁性素材製とした接地足板の表・裏面の適所に、メモ台の接合壁を簡便に着脱自在なものとすることができ、また、掛止ブロック脱着機構に永久磁石を利用のものとしたものは、磁性素材製とした端末用見台板の適所に、掛止ブロック接合壁を容易に着脱できるものとなり、何れも、永久磁石を面ファスナーに置き換えたものとすることにより、同様に簡便な着脱操作性を確保できるという利点が得られる。
【００１３】
更には、端末用見台板表・裏面壁の少なくとも何れか一方の任意範囲に、軟質摩擦膜部を被着一体化してなるものにあっては、搭載対象携帯情報端末の滑り止め効果を高め、ズレ動きや滑落などをより確実に防止できると共に、緩衝や、摩擦傷の防止、振動防止などの効果を高めるものとなり、立上げ腕の基端と端末用見台板対応箇所との間に間接傾度調節機構を設けたものでは、端末用見台板の傾斜姿勢の自由度を大幅に高めたものとすることができ、立上げ角度調節機構との共同によって相乗的に可動角度域を拡大し、端末用見台板の表面壁を上向きとする姿勢に留まらず、端末用見台板を倒立状にして裏面壁を上向きに配することなども可能とし、一層自由度の高い利便性を達成可能なものとするという大きな効果を発揮することとなる。
【００１４】
そして、接地足板の左右少なくとも何れか一方端寄りの適所に、１個または複数個のケーブル用ホルダーを一体化してなるものは、搭載した携帯情報端末に接続した各種ケーブル類を、絡み合ったりすることのないよう、整然と束ねて保持させることができるから、ケーブル類の引っ掛かりによるトラブルなどを大幅に削減し、より安全な利用を実現化するものとなる。                                                                                                          
【発明を実施するための最良の形態】
【００１５】
上記したとおりの構成からなるこの発明の実施に際し、その最良もしくは望ましい形態について説明を加えることにする。
接地足板は、端末用見台板の角度姿勢に拘わらず、安定支持可能な状態に接地可能となり、特に、端末用見台板を、略水平から略垂直までの何れかの角度姿勢とした場合に、該端末用見台板を含む携帯情報端末用スタンド装置全体重心の直下にあって、全体を安定に支持可能とする機能を担い、水平面上に安定据置き可能な接地底部を有し、左右少なくとも何れか一方側部に、左右方向に向く水平軸心をもつ立上げ角度調節機構を介し、立上げ腕の基端を略水平姿勢から、前後方向無段階または段階的に立上げ姿勢とし、且つ所望角度姿勢に仮固定可能とするよう回動自在に連結したものとしなければならず、木製、竹製、石材製、合成樹脂製、金属製、強化ガラス製など、各種硬質素材製のものとするのが望ましく、折畳み機構を有するメモ台を一体化したものか、または、折畳み機構を有するメモ台を該接地足板とは別体のものとし、同メモ台接合壁に設けた脱着機構を介し、該接地足板の接地底部および上壁の少なくとも何れか一方に着脱自在に組合せ可能としたものか、の何れか一方とすべきであり、メモ台脱着機構が、接地足板の全部または一部を磁性素材製とし、メモ台接合壁に適宜設けた永久磁石とからなるもの、および、メモ台接合壁の全部または一部を磁性素材製とし、接地足板の接地底部および上壁の少なくとも何れか一方に適宜設けた永久磁石とからなるものの何れか一方としてなるものとすることができる外、接地足板とメモ台との互いの接合部に、夫々互いに吸着する永久磁石を設けたものとすることができ、また、磁性素材と永久磁石、および、互いに吸着する永久磁石同士の組合せを、雄・雌の面ファスナーに置き換えることが可能であり、さらにまた、接地足板は、後述する実施例に示すように、適所にケーブル用ホルダーを設けたものとすることができる外、適所にペンホルダーやペン皿部を設けたり、適所に滑り止めシートや押印用弾性下敷きを貼着したりしたものなどとすることができる。
【００１６】
メモ台は、ノートやメモ帳、メモ用紙類を載せてペンなどによる書き込みを補助可能とする機能を担い、充分な厚みを有して確りした平板台状のものとすべきであり、接地足板に対して一体化したものや、脱着機構を設け、接地足板に対して着脱自在に別体化したものとすることが可能であり、メモ台の折畳み機構は、展開することによって接地足板よりも広いメモ台面積を確保可能とし、折り畳みによってコンパクト化・収納可能なものとする機能を担い、後述する実施例に示すように、ヒンジ金具類からなるものとすることができる外、可撓性合成樹脂や天然ゴム、布、金属板、バネ、その他の各種素材製部品に置き換え可能である外、スライド型やテレスコープ型などのように出没自在とした伸縮機構、ロール状に巻き取り収納可能、または、軟質素材製直線状脆弱部を境に折り畳み、重ね合わせ可能とした展開機構などに置換え可能である。
【００１７】
脱着機構は、接地足板に対してメモ台を着脱自在に一体化し、または、端末用見台板の表面壁や裏面壁の任意箇所に掛止ブロックを着脱自在に仮固定可能とする機能を担い、目的に即して充分な強度をもって結合し、且つ、工具などを要さずとも簡便に取り外し、取り付け可能なものとしなければならず、後述する実施例に示すように、接地足板および端末用見台板の少なくとも一方の一部または全体を磁性金属素材製のものとし、メモ台および掛止ブロックの少なくとも一方の接合壁にネオジム磁石、アルニコ磁石、ＭＫ鋼、フェライト磁石、サマリウムコバルト磁石などの各種永久磁石を一体化し、磁力によって着脱自在としたものや、端末用見台板に一定間隔を隔てた被着穴を穿設し、掛止ブロック接合壁に複数個の凸部を突設し、それら被着穴に各凸部を嵌合して装着・仮固定可能、且つ引き抜くようにして取り外し可能なものとすることが可能である外、実施例には示さないが、接地足板とメモ台との間に複数個の被着穴と複数個の凸部からなるものとして組み込んだものとすることができ、さらにまた、接地足板および端末用見台板の少なくとも一方の一部または全体に、雄または雌何れか一方の面ファスナーを被着・一体化し、メモ台および掛止ブロックの少なくとも一方の接合壁に、雄または雌何れか他方の面ファスナーを被着・一体化し、雄・雌面ファスナーを介して着脱自在としたものや、接地足板および端末用見台板の少なくとも一方の一部または全体を平滑壁とし、メモ台および掛止ブロックの少なくとも一方の接合壁に複数の吸盤を設け、吸盤を介して着脱自在としたものなどに置き換えることが可能であり、さらに、接地足板および端末用見台板に対して、当該脱着機構を用いて脱着可能とする部品類は、前記メモ台や掛止ブロックの外に、ケーブル用ホルダー、ＰＯＰクリップ、ペン差し用ポケット、ペン皿、その他の付属品類を任意に追加し、適宜利用することが可能である。
【００１８】
立上げ腕は、接地足板上に端末用見台板を所望の角度姿勢に充分な強度をもって支持可能とすると共に、端末用見台板を略水平姿勢に折り畳み可能とする機能を担い、携帯情報端末を搭載した端末用見台板を安定且つ安全に支持可能な強度を有するものとしなければならず、左右少なくとも何れか一方側部に、左右方向に向く水平軸心をもつ立上げ角度調節機構を介し、その基端を略水平姿勢から、前後方向無段階または段階的に立上げ姿勢とし、且つ所望角度姿勢に仮固定可能とするよう回動自在に連結すると共に、各先端がわから中途適所に掛けて、端末用見台板を支持するよう一体化したものとすべきであり、接地足板の左右何れか一方側部にのみ設け、端末用見台板を片持ち支持するものとすることができ、例えば、後述する実施例に示すように、右利き利用者用のものとして接地足板の左側部にのみ設けたものとし、また、左利き利用者用のものとして接地足板の右側部にのみ設けたものとすることが可能であり、その基端と端末用見台板対応箇所との間に、左右方向に向く水平軸心をもつ間接傾度調節機構を設けてなるものとすることができる。
【００１９】
立上げ角度調節機構は、端末用見台板の接地足板に対する前後方向支持角度を無段階または段階的に調節可能とすると共に、任意の角度姿勢に仮固定可能とする機能を担い、接地足板の左右少なくとも何れか一方側部に、左右方向に向く水平軸心をもち、立上げ腕の基端を略水平姿勢から、前後方向無段階または段階的に立上げ姿勢とし、且つ所望角度姿勢に仮固定可能とするよう回動自在に連結してなるものとしなければならず、後述する実施例に示すように、軸心を左右水平方向に向けたボルトおよび蝶ナットからなり、接地足板左右少なくとも何れか一方側部の縦壁部と、立上げ腕の基端とを貫通・連結したものとすることができる外、自在腰掛けのリクライニング機構などの角度調節機構を応用し、レバーやダイヤル、ボタンなどの入力操作によって角度調節可能なものとすることができ、バネや油圧ダンパー、エアダンパー、モーター、各種歯車などを組み込み、利用者の入力操作に応じて自動的に展開、折り畳み可能なものとすることが可能である。
【００２０】
間接傾度調節機構は、立上げ腕の中途適所を、折り畳み可能および展開可能、且つ、任意の姿勢に仮固定可能とする機能を担い、立上げ角度調節機構の操作および動作に干渉せず、立上げ角度調節機構と略同等の支持強度を有するものとしなければならず、長尺化した立上げ腕の中途適所に設け、立上げ角度調節機構との相乗的連動によって可動角度範囲を大幅に拡大可能なものとすることができ、換言すると、後述する実施例に示すように、２本の立上げ腕を有する携帯情報端末用スタンド装置とし、一方の立上げ腕先端と他方立上げ腕基端とを当該間接傾度調節機構によって連結したものとすることができる。
【００２１】
端末用見台板は、縦・横向きの少なくとも何れか一方とした１台または複数台の載置対象携帯情報端末の背面を安定支持可能であって、立上げ角度調節機構によって略水平姿勢とした場合に、接地足板上との間に、載置対象携帯情報端末の厚み寸法を超える高さの保護空間を確保し、該保護空間の上部を保護可能にすると共に、立上げ腕を該略水平姿勢から、無段階または段階的に任意の角度姿勢に立上げた場合に、載置した携帯情報端末を、その任意立ち上げ角度姿勢に安定支持可能となる機能を担い、載置対象携帯情報端末を安全に保持するのに充分な強度を有し、略水平から垂直までの何れかの角度姿勢とした場合に該接地足板直上に、該端末用見台板を含む携帯情報端末用スタンド装置全体の重心を配置可能な形状、寸法のものとしなければならず、前記接地足板と同様の素材製のものとするのが望ましく、軽量化のためのパンチング孔や補強用ビードなどを設けたものとすることができ、また、実施例に示さないが、左右分割型とし、接地足板の左右側部に夫々設けた左右独立の立上げ腕に対し、夫々左右独立の端末用見台板を設け、左右端末用見台板が互いに独立し、異なる角度姿勢に仮固定可能なものとすることができ、後述する実施例に示すように、載置対象となる携帯情報端末の外周縁に接して支持可能な寸法・形状とし、同端末用見台板表・裏面壁の少なくとも何れか一方の任意箇所に、装着する接合壁に脱着機構を設け、同端末用見台板に対し、着脱自在に外装可能とした１個または複数個の掛止ブロックを組合せてなるものとすることが可能である外、その表・裏面壁の少なくとも何れか一方の任意範囲に、携帯情報端末の滑り止め用となる軟質摩擦膜部を被着一体化してなるものとすることができる。
【００２２】
保護空間は、接地足板上、および、接地足板上に組込んだメモ台上と、水平姿勢に折畳んだ端末用見台板下との間に、１台または複数台の載置対象携帯情報端末を収容・保護可能とする機能を担い、携帯情報端末の背面を接地足板上、および、接地足板上に組込んだメモ台上の少なくとも何れか一方に水平状に安定保持可能であり、保護対象となる携帯情報端末表示画面の殆どを略水平姿勢とした端末用見台板が覆うよう寸法設定したものとするのが望ましい。
【００２３】
掛止ブロックは、端末用見台板の任意箇所に搭載する携帯情報端末の外周縁に接して、より安定に保持可能とする機能を担い、端末用見台板の任意箇所に着脱自在に仮固定可能な凸形状体からなり、端末用見台板に接合する接合壁に前記脱着機構を設けたものとしなければならず、後述する実施例に示すように、載置対象携帯情報端末の厚み寸法に僅かに及ばない、厚みの四角柱体とすることができる外、載置対象携帯情報端末の厚み寸法に僅かに及ばない高さの短柱体とし、携帯情報端末の四角などに点在状に配置可能なものとすることができる外、波形レール状のものや、折り畳み可能なリンク状凸条部品、可撓性棒状体などとすることが可能であり、高柔軟性・高摩擦係数の皮膜を外装し、接触・保持摩擦を高めたものとすることができる。
以下では、図面に示すこの発明を代表する実施例と共に、その構造について詳述することとする。                                                                                                            
【図面の簡単な説明】
【００２４】
図面は、この発明の携帯情報端末用スタンド装置の技術的思想を具現化した代表的な幾つかの実施例を示すものである。
【図１】携帯情報端末用スタンド装置を示す斜視図である。
【図２】携帯情報端末用スタンド装置を一部分解して示す斜視図である。
【図３】携帯情報端末用スタンド装置を示す左側面図である。
【図４】携帯情報端末用スタンド装置を示す正面図である。
【図５】携帯情報端末用スタンド装置を示す右側面図である。
【図６】携帯情報端末用スタンド装置の折畳み状態を示す右側面図である。
【図７】掛止ブロックを示す下面図およびＡ−Ａ線断面図である。
【図８】追加部品を組込んだ携帯情報端末用スタンド装置を示す正面図である。
【図９】携帯情報端末を収容する保護空間を示す斜視図である。
【図１０】携帯情報端末用スタンド装置の利用例を示す斜視図である。
【図１１】ケーブル用ホルダーを有する携帯情報端末用スタンド装置を示す正面図である。
【図１２】携帯情報端末用スタンド装置を示す右側面図である。
【図１３】端末用見台板脱着機構の他の例を示す正面図である。
【図１４】掛止ブロックの下面図および側面図である。
【図１５】接地足板を示す平面図である。
【図１６】接地足板を示す側面図である。
【図１７】携帯情報端末を縦搭載した携帯情報端末用スタンド装置を示す平面図である。
【図１８】携帯情報端末を横搭載した携帯情報端末用スタンド装置を示す平面図である。
【図１９】端末用見台板に軟質摩擦膜部を設けた携帯情報端末用スタンド装置を示す正面図である。
【図２０】端末用見台板を傾斜させた携帯情報端末用スタンド装置を示す側面図である。
【図２１】端末用見台板を直立させた携帯情報端末用スタンド装置を示す側面図である。
【図２２】端末用見台板を折り畳んだ携帯情報端末用スタンド装置を示す側面図である。
【図２３】端末用見台板を鋼板製とした携帯情報端末用スタンド装置を示す斜視図である。
【図２４】端末用見台板を折り畳んだ携帯情報端末用スタンド装置を示す側面図である。
【図２５】携帯情報端末用スタンド装置を示す正面図である。
【図２６】携帯情報端末用スタンド装置を示す右側面図である。
【図２７】携帯情報端末用スタンド装置を示す左側面図である。
【図２８】間接傾度調節機構をもつ携帯情報端末用スタンド装置を示す斜視図である。
【図２９】折り畳んだ携帯情報端末用スタンド装置を示す正面図である。
【図３０】折り畳んだ携帯情報端末用スタンド装置を示す右側面図である。
【図３１】各部を展開する携帯情報端末用スタンド装置を示す右側面図である。
【図３２】各部を展開する携帯情報端末用スタンド装置を示す左側面図である。
【図３３】間接傾度調節機構の可動角度範囲を示す左側面図である。
【図３４】脱着機構を両面ファスナーに置き換えた携帯情報端末用スタンド装置を示す斜視図である。
【図３５】折り畳んだ携帯情報端末用スタンド装置を示す側面図である。
【図３６】ＰＯＰクリップを装着した携帯情報端末用スタンド装置を示す正面図である。
【実施例１】
【００２５】
図１ないし図１０に示す事例は、接地足板２の左右少なくとも何れか一方側部に、立上げ角度調節機構５を介し、立上げ腕４の基端４０を水平姿勢から、前後方向無段階または段階的に立上げ姿勢とし、且つ所望角度姿勢に仮固定可能とするよう回動自在に連結すると共に、各立上げ腕４の先端４１がわに、載置対象携帯情報端末９を保持可能であって、水平から垂直までの何れかの角度姿勢とした場合に該接地足板２直上に全体の重心を配置可能な形状、寸法とした端末用見台板７を支持するよう一体化し、該接地足板２上と該端末用見台板７下との間に、所定高さの保護空間Ｓを確保してなるものとした、この発明の携帯情報端末用スタンド装置における代表的な一実施例を示すものである。
【００２６】
それら各図からも明確に把握できるとおり、この発明の携帯情報端末用スタンド装置１は、接地足板２が、厚さ１ｍｍ前後の鋼板製平板からなり、水平面上に安定据置き可能な接地底部２０の左側端所定巾範囲を垂直に立ち上げ、折曲して縦壁部２２とすると共に、該接地底部２０とは反対がわとなる上壁２１上には、同上壁２１上に平置き搭載可能な形状・寸法の２枚の木製板同士を折畳み機構としてのヒンジ金具３０，３０にて折り畳み自在に連結したメモ台３を搭載状に組み込み可能とした上、該メモ台３の１枚の木製板接合壁３１四角夫々に脱着機構である永久磁石（例えばネオジム磁石）Ｍ，Ｍ，……の接合面を露出するよう埋設し、接地足板２の接地底部２０および上壁２１の中何れか任意に選択した一方がわに重ね合わせ、着脱自在に吸着・仮固定可能なものとしてある。
【００２７】
接地足板２縦壁部２２外側壁には、矩形補強板２３を一体化し、その後端２３には、左外がわから矩形棹型立上げ腕４の基端４０を接合状に組合せると共に、該矩形補強板後端２３右がわ内壁から立上げ腕４基端４０左がわ外壁に、先端を向けて座金類を介して緩やかに貫通させたボルト５０を水平軸心とし、左外がわに露出した該ボルト５０先端に、左外がわから蝶ナット５１を、座金類を介在させて螺着し、締め付けて仮固定し、緩めて立上げ腕４先端４１の前後傾動を可能とする立上げ角度調節機構５を設けものとする。
【００２８】
該立上げ腕４の先端４１から中途適所に掛けて、厚さ１ｍｍ前後の鋼板製であって、要所々々に軽量化孔７３，７３，……や補強用ビード部７４，７４，……などをプレス加工した矩形平板からなり、表面壁７０、裏面壁７１の夫々に２〜３台の載置対象携帯情報端末９を縦姿勢搭載可能な面積を確保した端末用見台板７の、左側端所定巾範囲を垂下折曲して設けた結合帯片７２を、左外がわから組合せ、ネジ結合などにて片持ち支持するよう一体化したものである。
【００２９】
該端末用見台板７は、水平から垂直までの何れかの角度姿勢とした場合に該接地足板２直上に、当該携帯情報端末用スタンド装置１全体の重心を配置可能な形状、寸法とし、立上げ角度調節機構５にて水平に折り畳んだ姿勢の場合、該接地足板２上壁２１と該端末用見台板表面壁７０（下面壁）との間に、載置対象携帯情報端末９の厚み寸法を僅かに超える高さの保護空間Ｓを確保したものである。
【００３０】
図１、図２および図７に示すように、該端末用見台板７には、１本または複数本の矩形柱状の掛止ブロック８，８，……を装着可能であり、該掛止ブロック８は、端末用見台板７への接合壁８０の均衡する複数箇所（例えば３箇所）に、脱着機構としての永久磁石（例えばネオジム磁石）Ｍ，Ｍ，Ｍを埋設し、鋼板製の端末用見台板７表・裏面壁７０，７１に着脱自在に吸着・仮固定可能なものとしてある。
【００３１】
（実施例１の作用・効果）
以上のとおりの構成からなるこの発明の携帯情報端末用スタンド装置１は、図２中の二点鎖線矢印に示すように、鋼板製接地足板２上壁２１上にメモ台３を積層状に組合せ、ネオジム磁石Ｍ，Ｍ，……を介して脱着自在に仮固定状に装着可能である外、同接地足板２接地底部２０にも該メモ台３を上下反転して積層状に組合せ、ネオジム磁石Ｍ，Ｍ，……にて吸着・仮固定可能であり、また、図１ないし図３に示すように、端末用見台板７の表・裏面壁７０，７１には、複数本の掛止ブロック８，８，……を、各ネオジム磁石Ｍ，Ｍ，Ｍを介して着脱自在に吸着・仮固定可能なものとし、図１０に示すように、搭載した携帯情報端末９の下部を保持したり、左右から挟み込むよう保持させたりすることが可能となる。
【００３２】
携帯情報端末用スタンド装置１は、図３、図５および図６に示すように、立上げ角度調節機構５蝶ナット５１を緩め、接地足板２に対し、端末用見台板７（立上げ腕４）を、水平姿勢から所望の任意角度姿勢に立ち上げ、該ナット５１を締め付けて端末用見台板７（立上げ腕４）を任意の傾斜姿勢に仮固定することが可能であり、また、立上げ角度調節機構５を同様に操作して、接地足板２に対し、端末用見台板７（立上げ腕４）を、水平姿勢に折り畳むことが可能であり、この折り畳み姿勢とした場合には、接地足板２上壁２１上に、ヒンジ３０，３０にて折り畳んだメモ台３を端末用見台板７下に配するよう収容、搭載し、ネオジム磁石Ｍ，Ｍ，……にて仮固定可能となり、図６中に示すように、該収容状態にあるメモ台３上面と端末用見台板７下面との間に保護空間Ｓを確保し、図９に示すように、該保護空間Ｓには、携帯情報端末９および充電用コードやイヤホンなどの付属品９０を収容・保護することが可能である。
【００３３】
図８および図１０に示すように、所定角度に立ち上げた端末用見台板７は、その表面壁７０に、縦姿勢の２台のタブレット型携帯情報端末９，９および１台の家電用リモコン９１などを横並びに整然と搭載することができ、最左端を立上げ腕４が保持し、掛止ブロック８，８にて下縁やそれ以外の側縁の要所々々を保持することにより、格段に安定保持可能となり、さらに、脚底部に永久磁石を設けたＰＯＰクリップ８１などを装着し、名刺やカード類８２などを挟持させて参照可能である外、ヒンジ３０，３０を軸に展開したメモ台３上に、メモ用紙や手帳（図示せず）などを載せることができる外、メガネやペンなどを置くなどして巾広く利用可能である。                                                                                  
【実施例２】
【００３４】
図１１ないし図３２に示す事例は、一部構造を置き換えた、この発明の携帯情報端末用スタンド装置１の他の実施例を示すものであり、図１１ないし図１８に示すものは、立上げ腕４および立上げ角度調節機構５を正面右がわに配し、端末用見台板７表・裏面壁７０，７１の要所々々に、等間隔置き毎の複数の被着穴Ｈ，Ｈ，……を穿設し、掛止ブロック８接合壁８０には、各被着穴Ｈ，Ｈ，……に嵌合可能な脱着機構としての凸部Ｂ，Ｂ，……を突設し、対応する被着穴Ｈ，Ｈ，……に嵌合するようにして、端末用見台板７表・裏面壁７０，７１の所望位置に掛止ブロック８を嵌着可能なものとし、図１７および図１８に示すように、縦姿勢または横姿勢に搭載した携帯情報端末９を安定保持可能とし、しかも該携帯情報端末９に接続した各種ハーネスやケール類９０を回避するように装着することが可能である。
【００３５】
図１５、図１７および図１８に示してあるもののように、接地足板２上壁２１の左端前後には、夫々Ｃ字断面形のケーブル用ホルダー２４，２４を固着し、携帯情報端末９の充電用コードや情報通信用ケーブル９０や、図１７および図１８中に二点鎖線で示す、イヤホン・ハーネス９０、図示しないスピーカーケーブルなどを束ねて整理可能なものとしている。
【００３６】
図１９ないし図２２に示してある事例は、端末用見台板７表面壁７０の全面に渡り、軟質ゴム製または軟質合成樹脂製のネット状、高摩擦素材製軟質摩擦膜部７５を被着・一体化したものであり、図２３ないし図２７に示す事例は、接地足板２にメモ台３を一体化してなるものであり、図２８ないし図３３の事例は、立上げ腕４基端４０と先端４１がわ端末用見台板７対応箇所との間に、左右方向に向く水平軸心をもつ皿ネジ６０、蝶ナット６１からなる間接傾度調節機構６を設けたものであり、換言すると、１本の立上げ腕４の先端に、間接傾度調節機構６を介して別の１本の立上げ腕４の基端を連結し、基端がわの立上げ腕４基端を接地足板２に、立上げ角度調節機構５を介して連結し、先端がわの立上げ腕４の先端がわから中途適所に掛けて端末用見台板７を一体化したものとしてある。
【００３７】
また、図３４ないし図３６にある事例は、前記脱着機構Ｍを面ファスナーＷＦ，ＭＦに置き換えたものであって、端末用見台板７表面壁７０および裏面壁７１の全面に、シート状の雌面ファスナーＷＦを貼着・一体化し、各掛止ブロック８接合壁８０の全面に、シート状の雄面ファスナーＭＦを貼着・一体化し、複数個の掛止ブロック８，８，……を端末用見台板７表・裏面壁７０，７１の任意位置に着脱自在に仮固定可能としたものであり、さらに、脚部に雄面ファスナーＭＦを貼着・一体化したＰＯＰクリップ８１を着脱自在に装着したものとすることができる。
【００３８】
（実施例２の作用・効果）
以上のとおりの構成からなるこの発明の携帯情報端末用スタンド装置１は、図１１ないし図１８に示してあるとおり、端末用見台板７と掛止ブロック８とを脱着機構としての被着穴Ｈ，Ｈ，……および凸部Ｂ，Ｂ，……からなるものとしたから、端末用見台板７搭載物品類に磁気の影響及ぼす虞がなく、磁気カードなどを搭載することが可能となり、Ｃ字断面形のケーブル用ホルダー２４，２４は、コード類の着脱が容易であり、絡まり易いコード類などを整然と束ねて置くことが可能となり、コード類が引っ掛かり、誤って携帯情報端末９を落下させてしまうのを未然に防止可能となる。
【００３９】
図１９ないし図２２に示すものは、表面壁７０に軟質摩擦膜部７５を被着した端末用見台板７が、搭載した携帯情報端末９を高摩擦にて、格段に安定保持可能となり、しかも外部振動や衝撃などを減衰して保護することができ、図２３ないし図２７に示すものは、接地足板２に一体化したメモ台３が、別体とした場合に比較して部品点数および生産コストを大幅削減し、一段と低廉化することができ、図２８ないし図３３に示すものは、立上げ腕４の全長を長尺化し、その中途部に間接傾度調節機構６を設け、折り畳み可能としたから、起立展開状態にあっては、特に図３３に示すように、端末用見台板７を倒立するよう９０°を超えて後方に反転可能となり、携帯情報端末用スタンド装置１の前後の向きを換えて、上向きにした端末用見台板７裏面壁７１に、携帯情報端末９を載置することができ、図２８の前向き利用では、立上げ腕４が右に位置し、図３３の後ろ向き利用では、立上げ腕４が左がわに位置するものとなり、右利きや左利き利用者の操作性や、利用者の好みなどに応じて、より自由度の高い変形を可能にするものとなる。
【００４０】
図３４ないし図３６に取り上げたものでは、脱着機構として面ファスナーＷＦ，ＭＦを採用し、端末用見台板７表・裏面壁７０，７１に雌面ファスナーＷＦを被着したから、掛止ブロック８およびその他のＰＯＰクリップ８１など、貼着したい物品の適所に雄面ファスナーＭＦを設けるだけで、端末用見台板７表・裏面壁７０，７１の任意位置に自由に着脱することができ、磁気による影響を気にせず、前述の凹凸の嵌着よりも自由度の高い取付け位置決めが可能となり、しかもクッション性をもつ雌面ファスナーＷＦが、携帯情報端末９の摩耗や衝撃を格段に軽減するものとなる。
【００４１】
（結  び）
叙述の如く、この発明の携帯情報端末用スタンド装置は、その新規な構成によって所期の目的を遍く達成可能とするものであり、しかも製造も容易で、従前からの携帯情報端末を１台のみ搭載可能な、機種毎専用の置き台や充電器類などに比較して、機種や型式による制限を受けることなく、巾広いタブレット型端末や携帯型デジタル音楽プレイヤー、リモコンなどに至る端末機器類を、複数台搭載可能とすることができるから、機種変更などに伴う買い換えが不要となり、リモコン立てなどを兼用することができるなど、遥かに経済的なものとすることができる上、卓上から枕元まで場所を選ばず利用でき、携帯情報端末を格段に安全に保持および収納することができるから、携帯情報端末の携帯性を高めた故に、据置利用が困難となり、取扱い性の悪化に困惑する一般ユーザーは元より、こうしたユーザーの意見に対応できる置き台や充電器類などを、早期に提供したいと模索する携帯電話業界および家電業界においても高く評価され、広範に渡って利用、普及していくものになると予想される。                                                                                                
【符号の説明】
【００４２】
１      携帯情報端末用スタンド装置
２      接地足板
２０    同  接地底部
２１    同  上壁
２２    同  縦壁部
２３    同  矩形補強板
２４    同  ケーブル用ホルダー
３      メモ台
３０    同  ヒンジ（折畳み機構）
３１    同  接合壁
Ｍ      永久磁石：ネオジム磁石（脱着機構）
Ｈ      被着穴（脱着機構）
Ｂ      凸部（脱着機構）
ＷＦ      雌面ファスナー（脱着機構）
ＭＦ      雄面ファスナー（脱着機構）
４      立上げ腕
４０    同  基端
４１    同  先端
５      立上げ角度調節機構
５０    同  ボルト
５１    同  蝶ナット
６      間接傾度調節機構
６０    同  皿ネジ
６１    同  蝶ナット
７      端末用見台板
７０    同  表面壁
７１    同  裏面壁
７２    同  結合帯片
７３    同  軽量化孔
７４    同  補強用ビード部
７５    同  軟質摩擦膜部
Ｓ      携帯情報端末用保護空間
８      掛止ブロック
８０    同  接合壁
８１    同  ＰＯＰクリップ
８２    同  名刺やカード類
９      携帯情報端末
９０    同  付属品                                                                                              
【要約】
【課題】  利用中の携帯情報端末を、利用者の好む角度姿勢に自由に保持することができ、使用していないときには、折り畳んで携帯情報端末を保護、収納するのを可能とする上、多様な形状・寸法の携帯情報端末類およびリモコン類なども自在に載置・利用することができる新たな電子機器端末類用載置台技術を提供する。
【解決手段】  接地足板２の左右何れか一方側部に、立上げ角度調節機構５を介し、立上げ腕４の基端４０を前後方向無段階または段階的に立上げ姿勢とし、且つ所望角度姿勢に仮固定可能とするよう連結すると共に、各立上げ腕４の先端４１がわに、載置対象携帯情報端末９を保持可能な端末用見台板７を支持するよう一体化し、該接地足板２上と該端末用見台板７下との間に、所定高さの保護空間Ｓを確保してなる携帯情報端末用スタンド装置１である。
【選択図】    図１【図１】
0005621107.tif 000002
【図２】
0005621107.tif 000003
【図３】
0005621107.tif 000004
【図４】
0005621107.tif 000005
【図５】
0005621107.tif 000006
【図６】
0005621107.tif 000007
【図７】
0005621107.tif 000008
【図８】
0005621107.tif 000009
【図９】
0005621107.tif 000010
【図１０】
0005621107.tif 000011
【図１１】
0005621107.tif 000012
【図１２】
0005621107.tif 000013
【図１３】
0005621107.tif 000014
【図１４】
0005621107.tif 000015
【図１５】
0005621107.tif 000016
【図１６】
0005621107.tif 000017
【図１７】
0005621107.tif 000018
【図１８】
0005621107.tif 000019
【図１９】
0005621107.tif 000020
【図２０】
0005621107.tif 000021
【図２１】
0005621107.tif 000022
【図２２】
0005621107.tif 000023
【図２３】
0005621107.tif 000024
【図２４】
0005621107.tif 000025
【図２５】
0005621107.tif 000026
【図２６】
0005621107.tif 000027
【図２７】
0005621107.tif 000028
【図２８】
0005621107.tif 000029
【図２９】
0005621107.tif 000030
【図３０】
0005621107.tif 000031
【図３１】
0005621107.tif 000032
【図３２】
0005621107.tif 000033
【図３３】
0005621107.tif 000034
【図３４】
0005621107.tif 000035
【図３５】
0005621107.tif 000036
【図３６】
0005621107.tif 000037